(57)【特許請求の範囲】
【請求項１】
壁部と軒天井の隅部に設けられる軒天井見切材であって、
前記軒天井の下面に固定される長尺の軒天井固定板部と、
前記軒天井固定板部の一方の長辺端に連結された軒天井保護板部と、
前記軒天井固定板部の他方の長辺端に連結され、前記軒天井固定板部を前記軒天井に固定した際に、前記壁部と前記軒天井との隙間に配置される雨水侵入防止板部とを備え、
前記軒天井固定板部の下面に、前記壁部に塗工する際の基準となる突条が形成されていることを特徴とする軒天井見切材。
【請求項２】
前記軒天井固定板部と前記軒天井保護板部とが連結する部分に、前記軒天井保護板部を切り離すための溝が形成されている請求項１に記載の軒天井見切材。
【請求項３】
前記軒天井固定板部と前記雨水侵入防止板部とを連結する部分が軟質の合成樹脂で形成され、前記軒天井固定板部と前記雨水侵入防止板部との連結角度が自在にされている請求項１または２に記載の軒天井見切材。
【発明の詳細な説明】
【技術分野】
【０００１】
本発明は、建築構造物の壁部と軒天井との隅部に設けられる軒天井見切材に関する。
【背景技術】
【０００２】
一般に、建築構造物の壁部にモルタルなどの外壁材を塗工して外壁を施工する際には、美しい仕上がりの外壁が得られるよう、塗厚が均一になるように外壁材を塗工することが望ましい。特に、壁部と軒天井との隅部においては、外壁と軒天井との境界を美しく仕上げるために、塗厚が均一になるように外壁材を塗工することが厳しく要求される。
しかしながら、塗厚が均一になるように外壁材を塗工するには、左官に優れた技量が要求され、かつその塗工作業には多大な時間と労力とを要する。
【０００３】
一方、建築構造物に軒天井を取り付け施工する際には、軒天井から雨水が建築構造物に浸入するのを防止するため、軒天井と壁部との隅部を止水する必要がある。軒天井と外壁との隅部を止水する方法としては、従来、軒天井と壁部との隙間にシーリング剤を充填するシーリング施工に頼っている（特許文献１参照）。
しかしながら、充分な止水効果を得るには、シーリング剤を不足なく充填する必要があり、その施工には多大な時間と労力を要する。
【０００４】
これらの課題を解決するものとして、特許文献２には、壁面に固定される壁面固定板部と、軒天井面に沿って配置される軒天井固定板部とを備えた軒天井見切材が提案されている。この軒天井見切材を用いれば、壁部に均一な塗厚を有した外壁を施工でき、かつ、軒天井から浸入する雨水を止水できる。
【０００５】
【特許文献１】特開２００１−３４９０２３号公報
【特許文献２】特開２００１−４０８６７号公報
【発明の開示】
【発明が解決しようとする課題】
【０００６】
しかしながら、壁部への外壁の施工、および施工された外壁に塗装を行う際には、軒天井への外壁材や塗料の付着を防止するために、軒天井にシートを貼り付けて養生する必要がある。また、軒天井と外壁（または塗装面）との境界を美しい仕上がりにするためには、該境界にシートを正確に貼り付ける必要があり、その作業には多大な時間と労力とを要する。また、外壁の施工後や塗装後にシートを除去する際に、軒天井を傷めてしまうことがあった。さらには、軒天井の表面がシートを貼り付けられないような材質の場合には、外壁の施工やその後の塗装に、さらに多大な時間と労力とを要する。
本発明は、上記事情に鑑みてなされたものであって、壁部に均一な塗厚を有した外壁を容易に施工でき、かつ、軒天井から浸入する雨水を容易に止水でき、かつ、軒天井を傷つけることなく外壁材や塗料の付着を容易に防止できる軒天井見切材を目的とする。
【課題を解決するための手段】
【０００７】
前記の課題を達成するために、本発明は以下の構成を採用した。
（１）壁部と軒天井の隅部に設けられる軒天井見切材であって、
前記軒天井の下面に固定される長尺の軒天井固定板部と、
前記軒天井固定板部の一方の長辺端に連結された軒天井保護板部と、
前記軒天井固定板部の他方の長辺端に連結され、前記軒天井固定板部を前記軒天井に固定した際に、前記壁部と前記軒天井との隙間に配置される雨水侵入防止板部とを備え、
前記軒天井固定板部の下面に、前記壁部に塗工する際の基準となる突条が形成されていることを特徴とする軒天井見切材。
（２）前記軒天井固定板部と前記軒天井保護板部とが連結する部分に、前記軒天井保護板部を切り離すための溝が形成されている（１）に記載の軒天井見切材。
（３）前記軒天井固定板部と前記雨水侵入防止板部とを連結する部分が軟質の合成樹脂で形成され、前記軒天井固定板部と前記雨水侵入防止板部との連結角度が自在にされている（１）または（２）に記載の軒天井見切材。
【発明の効果】
【０００８】
本発明の軒天井見切材を用いれば、壁部に均一な塗厚を有した外壁を容易に施工でき、かつ、軒天井から浸入する雨水を容易に止水でき、かつ、軒天井を傷つけることなく外壁材や塗料の付着を容易に防止できる。
【発明を実施するための最良の形態】
【０００９】
本発明の一実施形態例である軒天井見切材１０は、図３に示すように、壁部１と軒天井２の隅部に設けられる軒天井見切材である。そして、図１、２、３に示すように、軒天井２の下面に固定される長尺の軒天井固定板部１１と、軒天井固定板部１１の一方の長辺端１２に連結された軒天井保護板部１３と、軒天井固定板部１１の他方の長辺端１４に連結され、軒天井固定板部１１を軒天井２に固定した際に、壁部１と軒天井２との隙間に配置される雨水侵入防止板部１５とを備え、軒天井固定板部１１の下面に、壁部１に塗工する際の基準となる突条１８が形成されている。
さらに、この軒天井見切材１０は、軒天井固定板部１１の長辺端１４に、雨水侵入防止板部１５と同一面上になるように連結される壁面固定板部２１を備える。
【００１０】
軒天井見切材１０の材質は特に限定されないが、例えば、木材、金属、合成樹脂などが挙げられる。中でも、成形性、取り扱いの容易さ、腐食などの観点から、合成樹脂であることが好ましい。合成樹脂を用いた軒天井見切材１０の製造方法は特に限定されないが、生産性の観点から、好ましくは押出成形による一体成形で製造される。
前記合成樹脂の材質は、ＰＶＣ(塩化ビニル樹脂)、ＡＢＳ(アクリルニトリルブタジエンスチレン樹脂)、ＰＳ(ポリスチレン樹脂)、ＰＥ(ポリエチレン樹脂)、ＰＰ(ポリプロピレン樹脂)、ＰＥＴ(ポリエチレンテレフタレート樹脂)及びこれらのポリマーアロイが挙げられ、特に、ＰＶＣが成形性、コスト、品質面から好適である。
【００１１】
この軒天井固定板部１１は、その上面に、軒天井２と固定するための両面テープ３１を備える。これにより、軒天井見切材１０は、壁部１と軒天井２との隅部に固定される。
両面テープ３１は、軒天井固定板部１１の長手方向に連続して設けられていてもよく、任意の間隔をおいて設けられていてもよい。また、両面テープ３１の幅も厚みも特に限定されない。
両面テープ３１の基材としては、軒天井２と固定できるものであれば特に限定されないが、例えば、ブチルゴム、ポリエステルフィルム、発泡ポリエチレン、発泡硬質ポリエチレン、耐熱フィルム、不織布（難燃性）、綿布、などが挙げられる。なお、この一実施形態例では両面テープとしたが、両面テープの代わりに接着剤などを用いてもよく、両面テープと接着剤とを併用してもよい。また、軒天井２への固定の際に、必要に応じてステープルや釘などを併用してもよい。
【００１２】
軒天井固定板部１１と軒天井保護板部１３とが連結する部分には、図５に示すように、外壁の施工後または外壁への塗装後に軒天井保護板部１３を切り離すための溝２４が形成されているのが好ましい。溝２４の形状は、軒天井保護板部１３を切り離すことができるものであれば、図５のようにＶ字形状であってもよく、他の形状であってもよい。溝２４は、軒天井固定板部１１と軒天井保護板部１３とが連結する部分の上側にあるのが好ましいが、下側にあっても構わず、また、両側にあっても構わない。
同じく、軒天井固定板部１１と軒天井保護板部１３とが連結する部分の下側には、突起２５が形成されているのが好ましい。突起２５は、後述する外壁３への塗装の際に、養生シートを貼り付ける目印となる。
【００１３】
軒天井保護板部１３は、図１、２、３に示すように、軒天井固定板部１１と同一面上になるように連結されている。軒天井保護板部１３は軒天井２への外壁材や塗料の付着を防止するため養生として機能する。また、軒天井２をより広範囲に養生する必要がある場合、シートの貼り台としても機能する。軒天井保護板部１３は、前述したとおり、外壁の施工後または外壁への塗装後に、長辺端１２を境に軒天井固定板部１１から切り離される。
軒天井保護板部１３の先端２３は、下側に向けて断面がくの字になるように屈曲していることが好ましい。これにより、後述する外壁の施工後または外壁への塗装後に軒天井保護板部１３を切り離す際、先端２３に指やペンチを引っ掛けやすくなり、軒天井保護板部１３を切り離しやすくすることができる。
軒天井保護板部１３の厚みは、軒天井固定板部１１の厚みと同じであってもよいが、好ましくは、図５に示すように、軒天井保護板部１３の厚みＣが、軒天井固定板部１１の厚みＢより、軒天井側の距離Ｄだけ薄くなっている。これにより、軒天井見切材１０を軒天井２に固定した際、軒天井２との間に充分な隙間を有することができるので、軒天井２を傷めることがない。
【００１４】
雨水侵入防止板部１５は、軒天井見切材１０の壁部１と軒天井２との隅部への固定によって、壁部１と軒天井２との隙間に配置される。これにより、壁部１と軒天井２とを仕切り、軒天井２から浸入する雨水を止水することができる。壁部１と軒天井２との隙間に雨水侵入防止板部１５が配置されることで、軒天井２と外壁３との隙間だけでなく、軒天井２の内部を通って浸入する雨水も止水できるため、特開２００１−４０８６７号公報に記載の軒天井見切材に比べて、より高い止水効果を得ることができる。
雨水侵入防止板部１５は、その厚みが一定でも構わないが、製造時の押出成形を行いやすくするために、先端に向かって次第に厚みが薄くなるように形成されているのが好ましい。また、このように成形することで、軒天井見切材１０を隅部に取り付ける際、壁部１と軒天井２との隙間に差し込みやすくなる。
【００１５】
軒天井固定板部１１と雨水侵入防止板部１５とを連結する部分、すなわち、長辺端１４周辺は軟質の合成樹脂で形成され、軒天井固定板部１１と雨水侵入防止板部１５との連結角度が自在にされているのが好ましい。これにより、図４に示すように、壁部１に対して軒天井２が直角以外の角度で取り付けられている建築構造物の場合であっても、雨水侵入防止板部１５を壁部１に配置しつつ、軒天井固定板部１１および軒天井保護板部１３を軒天井２の勾配に合せることができる。
軟質合成樹脂の材質は、軟質ＰＶＣ(塩化ビニル樹脂)、エラストマーなどが挙げられるが、軒天井見切材１０本体がＰＶＣ(塩化ビニル樹脂)であれば、軟質ＰＶＣ(塩化ビニル樹脂)が成形性、密着性から好適である。
なお、軒天井見切材１０本体の材質がＰＥ(ポリエチレン樹脂)やＰＰ(ポリプロピレン樹脂)などのオレフィン系樹脂の場合には、それ自体が塑性変形するため、長辺端１４周辺を軟質の合成樹脂としなくても、軒天井固定板部１１および軒天井保護板部１３を軒天井２の勾配に合せることができる。また、ＰＶＣ(塩化ビニル樹脂)であっても、長辺端１４周辺の肉厚を薄くすれば、ヒンジ効果により軒天井固定板部１１と雨水侵入防止板部１５との連結角度を自在とし、軒天井固定板部１１および軒天井保護板部１３を軒天井２の勾配に合せることができる。
【００１６】
突条１８は、軒天井固定板部１１の下面に設けられる。突条１８を設ける位置は特に限定されず、必要とする外壁材の厚みを鑑みて適宜設定可能である。突条１８は、外壁材の塗厚を均一にするための基準（治具）として機能する。すなわち、後述する軒天井見切材１０を用いた外壁３の施工において、突条１８の位置まで外壁材を塗工することで、均一な塗厚を有した外壁３を容易に施工できる。
突条１８は、左官が目視可能であれば、その大きさや形状は特に限定されないが、図５に示すように、突条１８側面に溝が形成されていることが好ましい。これにより、外壁材の食い付き力をより高めることができる。突条１８側面の溝は、図５のようにＶ字形状でもよいが、他の形状でもよい。
【００１７】
壁面固定板部２１は、軒天井見切材１０を壁部１と軒天井２との隅部に固定した際、壁部１に配置される。これにより、軒天井見切材１０が壁部１と接する面積がより広くなり、軒天井見切材１０の該隅部への固定がより安定する。また、壁面固定板部２１があることで、軒天井見切材１０のしなりが軽減され、取り扱いがしやすくなる。
壁面固定板部２１は、その厚みが一定でも構わないが、製造時の押出成形を行いやすくするために、先端に向かって厚みが薄くなるように形成されているのが好ましい。
【００１８】
壁面固定板部２１には、図１、２、３、４、６に示すように、施工時に外壁材と接する面側に突起２２が形成されていることが好ましい。これにより、外壁材の食い付き力をより高めることができる。突起２２の数は単独でも複数でもよい。また、突起２２の高さや幅は同じでもよく、それぞれ異なっていてもよい。また、突起２２が配置される間隔は、等間隔でもよく、それぞれ異なった間隔で配置されていてもよい。
さらに、壁面固定板部２１には、図１および図６に示すように、孔２６が形成されていることが好ましい。これにより、壁部１への外壁材の食い付き力がより高まる。孔２６の大きさは特に限定されることはない。また、孔２６の数も特に限定されない。複数の孔２６が設けられる場合、孔２６の大きさは同じであってもよく、図６のように異なっていてもよい。孔２６同士の配置間隔は等間隔でもよく、それぞれ異なった間隔を有していてもよい。
【００１９】
次に、本発明の一実施形態例である軒天井見切材１０を用いて、壁部１に外壁３を施工し、さらに外壁３に塗装を行う手順の一例を、図７を参照しながら説明する。
まず、壁部１に対して公知の建築方法を用いて軒天井２を設置する。次に、図７（ａ）に示すように、雨水侵入防止板部１５が壁部１と軒天井２との隙間に配置されるように、軒天井２の下面に両面テープ３１を用いて軒天井見切材１０を貼り付ける。
このように、雨水侵入防止板部１５が壁面１と軒天井２との隙間に配置されることで、軒天井２から浸入する雨水を容易に止水できる。
【００２０】
次いで、壁部１に対して、突条１８の位置までコテなどを用いて外壁材を塗工し、図７（ｂ）に示すように、均一な塗厚を有した外壁３を施工する。このように、突条１８を外壁材の塗厚を均一にするための基準とすることで、壁部１に均一な塗厚を有した外壁３を容易に施工できる。また、軒天井見切材１０は軒天井保護板部１３を有しているので、軒天井２への外壁材の付着を防止でき、軒天井２への養生を省くことも可能である。
【００２１】
次いで、外壁３に塗装が行われるが、その前に、図７（ｃ）に示すように、軒天井２に塗料が付着しないよう、突起２５を目印にしてシート４１を貼り付け、軒天井２を広範囲に養生する。軒天井見切材１０においては、養生の境界は突起２５から軒天井保護板部１３側にあればよいため、シート４１の貼り付けを軒天井２へ直接貼り付けるような正確性をもって行わなくてもよく、養生に要する労力と時間を低減できる。
次いで、図７（ｄ）に示すように、外壁３の表面に吹き付け塗装など公知の塗装方法で塗装を行い、塗膜４２を形成する。塗膜４２の乾燥後、シート４１を剥がす（不図示）。軒天井見切材１０によると、軒天井２に直接シートを貼り付けずにシート養生が行えるため、シート４１を剥がす際に、軒天井２へ傷を付ける心配がない。
次いで、先端２３にペンチなどを引っ掛けて、図７（ｅ）に示すように、軒天井保護板部１３を切り離す。塗装後に軒天井保護板部１３を切り離すことで、軒天井と塗膜４２との境界（外壁３の施工のみで完了なら、外壁と軒天井との境界）を美しく仕上げることができる。
以上のようにして、壁部１への外壁３の施工、および外壁３への塗装が行われる。
【００２２】
本発明の軒天井見切材を用いれば、塗厚が均一になるように外壁材を塗工するための基準となる突条が備えられているので、壁部に均一な塗厚を有した外壁を容易に施工できる。
また、本発明の軒天井見切材には、外壁材や塗料の付着を防止するための軒天井保護板部が備えられているので、養生の労力と時間を低減できる。また、この軒天井保護板部は、軒天井をより広範囲に養生する必要がある場合、シートの貼り台としても機能するので、軒天井にシートを直接貼り付けずに済む。したがって、本発明の軒天井見切材を用いれば、軒天井を傷つけることなく外壁材や塗料の付着を容易に防止できる。
本発明の軒天井見切材は、前記のような効果に加え、雨水侵入防止板部を備えているので、シーリング施工を行わなくても、軒天井から浸入する雨水を容易に止水できる。
【図面の簡単な説明】
【００２３】
【図１】本発明の一実施形態例の軒天井見切材を示す斜視図である。
【図２】本発明の一実施形態例の軒天井見切材を図１におけるＡ−Ａの位置で切断した断面図である。
【図３】本発明の一実施形態例の軒天井見切材を、壁部と軒天井との隅部に取り付けた状態を示す該隅部近傍の断面図である。
【図４】本発明の一実施形態例の軒天井見切材を、壁部と軒天井との隅部に取り付けた状態を示す該隅部近傍の断面図である。
【図５】本発明の一実施形態例の軒天井見切材における軒天井保護板部と軒天井固定板部との連結部分の周辺を拡大して示す部分断面図である。
【図６】本発明の一実施形態例の軒天井見切材を、図１における一点鎖線上の矢印の方向から見た正面図である。
【図７】本発明の一実施形態例の軒天井見切材を用いて、外壁の施工および施工された外壁への塗装を行う手順を示す工程図である。
【符号の説明】
【００２４】
１  壁部
２  軒天井
３  外壁
１０  軒天井見切材
１１  軒天井固定板部
１２、１４  長辺端
１３  軒天井保護板部
１５  雨水侵入防止板部
１８  突条
２１  壁面固定板部
２４  溝
【図１】
0004964725.tif 000002
【図２】
0004964725.tif 000003
【図３】
0004964725.tif 000004
【図４】
0004964725.tif 000005
【図５】
0004964725.tif 000006
【図６】
0004964725.tif 000007
【図７】
0004964725.tif 000008